(57)【要約】複数の移動局と，前記複数の移動局と無線により通信を行う基地局を備え，複数の移動局からのデータ信号が，周波数方向に複数のチャネルで多重化されてタイムスロットを形成し，更にタイムスロットが時分割多重されて送信され，基地局は，移動局側から送られたタイムスロット毎に周波数分割多重化されたデータ信号を分離して受信し，データ信号の受信が不良であるとき，対応する移動局に再送を要求する移動通信システムである。所定の時間間隔毎のタイムスロットに無線リンク接続のために送信されるランダムアクセスチャネルが多重化され，ランダムアクセスチャネルが多重化されるタイムスロットには，再送不要データ信号のみを周波数多重化し，複数の移動局は，基地局から再送要求のある時，ランダムアクセスチャネルが多重化されるタイムスロット以外のタイムスロットに前記再送要求されたデータ信号を周波数多重して基地局に再送する。
2008111131.tif 000002
【特許請求の範囲】
【請求項１】
複数の移動局と，前記複数の移動局と無線により通信を行う基地局を備え，
前記複数の移動局からのデータ信号が，周波数方向に複数のチャネルで多重化されてタイムスロットを形成し，前記周波数方向に多重化されたタイムスロットが時分割多重されて前記基地局に送信され，更に前記基地局は，前記移動局側から送られたタイムスロット毎に周波数分割多重化されたデータ信号を分離して受信し，前記データ信号の受信が不良であるとき，対応する移動局に再送を要求する移動通信システムであって，
所定の時間間隔毎の前記タイムスロットに無線リンク接続のために送信されるランダムアクセスチャネルが多重化され，
前記ランダムアクセスチャネルが多重化されるタイムスロットには，再送が不要であるデータ信号のみを周波数多重化し，
前記複数の移動局は，前記基地局から再送要求のある時，前記ランダムアクセスチャネルが多重化されるタイムスロット以外のタイムスロットに前記再送要求されたデータ信号を周波数多重して，前記基地局に再送する，
ことを特徴とする移動通信システム。
【請求項２】
請求項１において，
前記再送が不要であるデータ信号は，インターネットプロトコル上の音声信号であることを特徴とする移動通信システム。
【請求項３】
複数の移動局と，前記複数の移動局と無線により通信を行う基地局を備え，
前記複数の移動局からのデータ信号が，周波数方向に複数のチャネルで多重化されてタイムスロットを形成し，前記周波数方向に多重化されたタイムスロットが時分割多重されて前記基地局に送信され，更に前記基地局は，前記移動局側から送られたタイムスロット毎に周波数分割多重化されたデータ信号を分離して受信し，前記データ信号の受信が不良であるとき，対応する移動局に再送を要求する移動通信システムであって，
所定の時間間毎の前記タイムスロットに無線リンク接続のために送信されるランダムアクセスチャネルが多重化され，
前記ランダムアクセスチャネルが多重化されるタイムスロット以外のタイムスロットに前記ランダムアクセスチャネルと同一の無線リソースを有するチャネルを設け，
前記複数の移動局は，前記ランダムアクセスチャネルと同一又はそれより少ない無線リソースを有するチャネルで送信したデータ信号を，前記基地局から再送要求のあったとき，前記ランダムアクセスチャネルと同一の無線リソースを有するチャネルに周波数多重して，前記基地局に再送する，
ことを特徴とする移動通信システム。
【請求項４】
複数の移動局と無線により通信を行う基地局を備えた移動通信システムにおける前記基地局であって，
周波数方向に複数のチャネルで多重化されてタイムスロットを形成し，前記周波数方向に多重化されたタイムスロットが時分割多重されて，前記複数の移動局から送信されるデータ信号を受信し，
前記データ信号の受信が不良であるとき，対応する移動局に再送を要求し，
所定の時間間隔毎の前記タイムスロットに無線リンク接続のために送信されるランダムアクセスチャネルが多重化され，前記ランダムアクセスチャネルが多重化されるタイムスロットには，再送が不要であるデータ信号のみが周波数多重化され，前記再送要求を行ったとき，前記ランダムアクセスチャネルが多重化されるタイムスロット以外のタイムスロットに周波数多重され，再送される前記再送要求されたデータ信号を，該当の移動局から受信する，
ことを特徴とする移動通信システムにおける基地局。
【請求項５】
請求項４において，
前記再送が不要であるデータ信号は，インターネットプロトコル上の音声信号であることを特徴とする移動通信システムにおける基地局。
【請求項６】
複数の移動局と無線により通信を行う基地局を備えた移動通信システムにおける前記基地局であって，
周波数方向に複数のチャネルで多重化されてタイムスロットを形成し，前記周波数方向に多重化されたタイムスロットが時分割多重されて，前記複数の移動局から送信されるデータ信号を受信し，
前記データ信号の受信が不良であるとき，対応する移動局に再送を要求し，
所定の時間間隔毎の前記タイムスロットに無線リンク接続のために送信されるランダムアクセスチャネルが多重化され，前記ランダムアクセスチャネルが多重化されるタイムスロット以外のタイムスロットに前記ランダムアクセスチャネルと同一の無線リソースを有するチャネルが設けられ，
前記ランダムアクセスチャネルと同一又はそれより少ない無線リソースを有するチャネルで送信されたデータ信号の再送要求を行ったとき，前記ランダムアクセスチャネルと同一又はそれより少ない無線リソースに周波数多重されて該当の移動局から受信する，
ことを特徴とする移動通信システムにおける基地局。
【請求項７】
複数の移動局と無線により通信を行う基地局を備えた移動通信システムにおける前記移動局であって，
周波数方向に複数のチャネルで多重化されてタイムスロットを形成し，前記周波数方向に多重化されたタイムスロットが時分割多重されたデータ信号を，前記基地局に送信し，
前記基地局におけるデータ信号の受信が不良であるとき，対応するデータ信号の再送が要求され，
所定の時間間隔毎の前記タイムスロットに無線リンク接続のために送信されるランダムアクセスチャネルが多重化され，前記ランダムアクセスチャネルが多重化されるタイムスロットには，再送が不要であるデータ信号のみが周波数多重化され，前記基地局から再送要求が行われたとき，前記ランダムアクセスチャネルが多重化されるタイムスロット以外のタイムスロットに周波数多重し，前記再送要求されたデータ信号を前記基地局に再送する，
ことを特徴とする移動通信システムにおける移動局。
【請求項８】
請求項７において，
前記再送が不要であるデータ信号は，インターネットプロトコル上の音声信号であることを特徴とする移動通信システムにおける移動局。
【請求項９】
基地局と無線により通信を行う移動通信システムにおける移動局であって，
周波数方向に複数のチャネルを多重化してタイムスロットを形成し，前記周波数方向に多重化されたタイムスロットを時分割多重し，前記基地局にデータ信号を送信し，
前記基地局における前記データ信号の受信が不良であるとき，データ信号の再送が要求され，
所定の時間間隔毎の前記タイムスロットに無線リンク接続のために送信されるランダムアクセスチャネルを多重化し，前記ランダムアクセスチャネルが多重化されるタイムスロット以外のタイムスロットに前記ランダムアクセスチャネルと同一の無線リソースを有するチャネルを設け，
前記ランダムアクセスチャネルと同一又はそれより少ない無線リソースを有するチャネルで送信したデータ信号を，前記再送要求があったとき，前記ランダムアクセスチャネルと同一の無線リソースを有するチャネルに周波数多重して前記基地局に送信する，
ことを特徴とする移動通信システムにおける移動局。
【請求項１０】
複数の移動局と，前記複数の移動局と無線により通信を行う基地局を備え，
前記複数の移動局からのデータ信号が，周波数方向に複数のチャネルで多重化されてタイムスロットを形成し，前記周波数方向に多重化されたタイムスロットが時分割多重されて前記基地局に送信され，更に前記基地局は，前記移動局側から送られたタイムスロット毎に周波数分割多重化されたデータ信号を分離して受信し，前記データ信号の受信が不良であるとき，対応する移動局に再送を要求する移動通信システムにおけるデータ信号再送方法であって，
前記複数の移動局において，
所定の時間間隔毎の前記タイムスロットに無線リンク接続のために送信されるランダムアクセスチャネルを多重化するステップと，
前記ランダムアクセスチャネルが多重化されるタイムスロットには，再送が不要であるデータ信号のみを周波数多重化するステップと，
前記基地局から再送要求のある時，前記ランダムアクセスチャネルが多重化されるタイムスロット以外のタイムスロットに前記再送要求されたデータ信号を周波数多重して，前記基地局に再送するステップを有する，
ことを特徴とする移動通信システムにおけるデータ信号再送方法。
【発明の詳細な説明】
【技術分野】
【０００１】  本発明は，無線リソース割り当て方法および，これを適用する移動通信システムに関し，特に，ランダムアクセスチャネル（ＲＡＣＨ）とデータ信号が，ＦＤＭ（周波数分割多重方式）あるいはＴＤＭ（時分割多重方式）で多重され，データ信号の再送制御方式に同期ＨＡＲＱ（Ｓｙｎｃｈｒｏｎｏｕｓ  Ｈｙｂｒｉｄ  Ａｕｔｏｍａｔｉｃ  Ｒｅｐｅａｔ  ｒｅＱｕｅｓｔ）方式を用いる移動通信システムに関する。
【背景技術】
【０００２】  次世代移動通信システムの上りリンクの無線アクセス方式に求められる性質としては，主に，周波数利用効率が高いことと，送信信号のＰＡＰＲ（Ｐｅａｋ−ｔｏ−Ａｖｅｒａｇｅ  Ｐｏｗｅｒ  Ｒａｔｉｏ）が低いことが挙げられる。
ＤＦＴ（Ｄｉｓｃｒｅｔｅ  Ｆｏｕｒｉｅｒ  Ｔｒａｎｓｆｏｒｍ）−Ｓｐｒｅａｄ  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式は，上記の要件を満たす無線アクセス方式の１つとして注目されている。その特徴として，まず，シングルキャリア伝送方式であるために，ＯＦＤＭ（直交周波数分割多重）等のマルチキャリア方式と比べて，ＰＡＰＲが低いことが挙げられる。【０００３】  別の特徴としては，周波数領域の信号処理を用いることにより，シングルキャリアの信号成分を時間，周波数領域で柔軟に配置できることが挙げられる。【０００４】  図１は，時間，周波数領域での信号の配置例を表している。ＲＡＣＨ（Ｒａｎｄｏｍ  Ａｃｃｅｓｓ  Ｃｈａｎｎｅｌ）は，上りリンクにおいて無線リンクの接続のための設定情報を有して，各無線フレームの最初に送信されるチャネルである。【０００５】  したがって，ＲＡＣＨ用の無線リソースＩとして，一定の時間間隔で特定の周波数領域が設けられている。データ信号ＩＩについては，ＲＡＣＨ用の無線リソースを除いた部分を各移動局（ＵＥ１，ＵＥ２等）で共有して用いる。なお，本来は，制御情報の伝送に用いる制御信号や，データ信号，制御信号の復調に用いるパイロット信号等が存在するが，この図では省略している。【０００６】  ここで，データ信号の誤り制御方式として，Ｎ−ｃｈａｎｎｅｌ  Ｓｔｏｐ  ａｎｄ  Ｗａｉｔ法に基づくＨＡＲＱ方式を前提とし，これを再送間隔の観点で分類すると，非同期（Ａｓｙｎｃｈｒｏｎｏｕｓ）ＨＡＲＱ方式と同期（Ｓｙｎｃｈｒｏｎｏｕｓ）ＨＡＲＱ方式が挙げられる（非特許文献１，特許文献１参照）。【０００７】  非同期ＨＡＲＱ方式では，送信側でデータ信号を送信する際，そのデータ信号の順序情報を表すプロセス番号を制御情報として送信する。受信側では，データ信号の並びを元通りに復元するためには，プロセス番号を参照すればよいので，再送間隔は必ずしも一定でなくて良い。従って，送信側でパケットスケジューリングを行う場合に，スケジューリングの自由度が高い利点がある。【０００８】  一方，同期ＨＡＲＱ方式では，データ信号の再送間隔を基本的に一定とする。受信側では，プロセス番号を参照しなくても，どの新規データに対する再送データを受信したかを判断することができるので，問題なくデータ信号の並びを元通りに復元できる。従って，プロセス番号を制御情報として送信する必要がないので，データ信号の伝送効率が向上する利点がある。
【非特許文献１】“３ｒｄ  ｇｅｎｅｒａｔｉｏｎ  ｐａｒｔｎｅｒｓｈｉｐ  Ｐｒｏｊｅｃｔ（３ＧＰＰ）；ＴｅｃｈｎｉｃａｌＳｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  ｌａｙｅｒ  ａｓｐｅｃｔｓ  ｆｏｒ  ｅｖｏｌｖｅｄＵｎｉｖｅｒｓａｌ  ｔｅｒｒｅｓｔｒｉａｌ  ｒａｄｉｏ  Ａｃｃｅｓｓ（ＵＴＲＡ）（ｒｅｌｅａｓｅ  ７）”，３ＧＰＰ  ＴＲ  ２５．８１４  ｖ１．２．３（２００６−５）．
【特許文献１】特開２００７−６０８０号公報
【発明の開示】
【０００９】  ＲＡＣＨとデータ信号が周波数分割多重あるいは時分割多重される場合に，データ信号に対する同期ＨＡＲＱの動作を考える。図２は，ＲＡＣＨ，データ信号に対する無線リソース割り当ての例を表す。ここで，データ信号用の無線リソースの割当量は，各ＴＴＩ（Ｔｒａｎｓｍｉｓｓｉｏｎ  Ｔｉｍｅ  Ｉｎｔｅｒｖａｌ）で必ずしも同じではないため，以下の問題が生じる。
【００１０】  ＲＡＣＨが多重されないＴＴＩにおいて送信された各移動局ＵＥのデータ信号が全てチェックビット判定で不良（ＣＲＣ−ＮＧ）となった場合，前回の送信タイミング，例えば，タイミングＴＴＩ＃（ｎ）から一定の時間（ＲＴＴ：Ｒｏｕｎｄ  Ｔｒｉｐ  Ｔｉｍｅ）を経たタイミングＴＴＩ＃（ｎ＋ＲＴＴ）で再送する必要がある。
【００１１】  図２において，一往復送信時間（ＲＴＴ：Ｒｏｕｎｄ  Ｔｒｉｐ  Ｔｉｍｅ）後，タイミングＴＴＩ＃（ｎ＋ＲＴＴ）では，全移動局のデータ再送無線リソースを確保できるが，タイミングＴＴＩ＃（ｎ＋ＲＴＴ＋１）では，ＲＡＣＨ用の帯域が先に設定されているので，ＵＥ２のデータ再送用の無線リソースが確保できない。したがって，このタイミングがＲＡＣＨの多重されるＴＴＩと重なる場合，再送に必要な無線リソースが確保できないので，同期ＨＡＲＱを実現することができない。
【００１２】  さらに，上記の問題への対処として，ＲＡＣＨが多重されるＴＴＩとデータ信号の再送タイミングが重なることが予想される場合は，データ信号の再送タイミングを延期する方法が考えられる。しかし，待ち行列が次第に長くなり，再送バッファが破綻する懸念がある。
【００１３】  したがって，本願発明の目的は，かかる不都合を解消する無線リソース割り当て方法および，これを適用するディジタル移動通信システムを提供することにある。
【００１４】  そして，かかる本願発明の特徴として，第１にＲＡＣＨとデータ信号がＦＤＭ（周波数分割多重）あるいはＴＤＭ（時分割多重）で多重され，データ信号の再送制御方式に同期ＨＡＲＱ（Ｓｙｎｃｈｒｏｎｏｕｓ  Ｈｙｂｒｉｄ  Ａｕｔｏｍａｔｉｃ  Ｒｅｐｅａｔ  ｒｅＱｕｅｓｔ）方式を用いる場合に，ＲＡＣＨが多重されるタイムスロットに，再送を行わないチャネルを設けることにある。
【００１５】  この特徴により，データ信号用の無線リソースの割当量は，各ＴＴＩで同一になるため，上記の問題が解消する。
【００１６】  また，本発明に従うディジタル移動通信システムでは，ＲＡＣＨとデータ信号がＦＤＭあるいはＴＤＭで多重され，データ信号の再送制御方式に同期ＨＡＲＱ方式を用いる場合に，ＲＡＣＨが多重されないタイムスロットには，ＲＡＣＨと同一の無線リソースサイズを有するチャネルを設けることを特徴とする。この特徴により，データ信号用の無線リソースの割当量は，各ＴＴＩで同一になるため，上記の問題が解消する。
【図面の簡単な説明】
【００１７】
【図１】図１は，無線リソースの割当ての例を示す図である。
【図２】図２は，従来例における無線リソースの割当てと再送制御を説明する図である。
【図３】図３は，本発明を適用する第１の実施例における移動局の構成例ブロック図であり，特に送信側構成を示す図である。
【図４】図４は，図３の移動局構成における再送バッファの構成例を示す図である。
【図５】図５は，本発明を適用する第１の実施例における基地局の構成例ブロック図であり，特に受信側構成を示す図である。
【図６】図６は，第１の実施例における無線リソース割り当てと再送制御を説明する図である。
【図７】図７は，図５の基地局におけるＲＢ割当部の構成例を示す図である。
【図８】図８は，第２の実施例における無線リソース割り当てと再送制御の説明する図である。
【発明を実施するための最良の形態】
【００１８】  以下に図面に従い，本発明の実施の形態例を説明する。【００１９】  図３は，本発明を適用する移動局ＵＥ（Ｕｓｅｒ  Ｅｑｕｉｐｍｅｎｔ）の構成例ブロック図であり，特に移動局の送信側構成を示す。【００２０】  図３において，制御信号復調部１では，受信アンテナ１８Ｒで受信される基地局ＢＳからフィードバックされた制御信号を復調し，後述するＡＣＫ／ＮＡＣＫ情報１００，ＲＢ（Ｒｅｓｏｕｒｃｅ  Ｂｌｏｃｋ）割り当て情報１０１，送信タイミング制御値１０２を抽出する。【００２１】  再送バッファ部２では，Ｎ−ｃｈａｎｎｅｌ  Ｓｔｏｐ  ａｎｄ  Ｗａｉｔの再送制御を行う。詳細な再送バッファ部２の構成例を図４に示す。【００２２】  再送バッファ部２は，プロセス数（プロセス１〜プロセスＮｐｒｏ）に応じたバッファ２０を有している。バッファ２０には，送信済みのデータがプロセスに応じて格納されている。また，このデータには，データ品種（リアルタイム，非リアルタイム等）を表す情報が含まれている。【００２３】  再送制御部２１は，後述する基地局ＢＳ（Ｂａｓｅ  Ｓｔａｔｉｏｎ）からのＡＣＫ／ＮＡＣＫ情報１００に基づいて，バッファ部２０における信号の入出力を制御する。【００２４】  例えば，ＡＣＫ／ＮＡＣＫ情報１００がＡＣＫを示す場合，再送制御部２１は，バッファ２０において，ＡＣＫ／ＮＡＣＫ情報１００に対応するプロセス番号の部分に新しいデータを書き込むよう，書き込みバッファ選択部２２に指示する。【００２５】  次いで，このバッファ２０からデータを読み出すように読み出しバッファ選択部２３に指示する。【００２６】  また，ＡＣＫ／ＮＡＣＫ情報１００がＮＡＣＫを示す場合，再送制御部２１は，書き込みバッファ選択部２２への書き込み指示は行わず，バッファ２０からＡＣＫ／ＮＡＣＫ情報１００に対応するプロセス番号のデータを読み出すように読み出しバッファ選択部２３に指示する。【００２７】  ここで，データ信号を送信してからＡＣＫ／ＮＡＣＫ情報１００が返送されるまでの時間はＲＴＴ（Ｒｏｕｎｄ  Ｔｒｉｐ  Ｔｉｍｅ）として既知である。このことから，ＡＣＫ／ＮＡＣＫ情報１００とプロセス番号の対応は既知である。【００２８】  また，データの書き込み量，読み出し量，その対象となるデータ品種は，上記のＲＢ（Ｒｅｓｏｕｒｃｅ  Ｂｌｏｃｋ）割り当て情報１０１に含まれている。【００２９】  バッファ２０から読み出されたデータは，ＣＲＣ（循環符号チェック符号）符号器３へ転送される。また，制御信号として，スケジューリング要求情報１０３が，畳込み符号器４へ転送される。スケジューリング要求情報１０３は，例えば，バッファ２０に滞留している各データ品種のデータ量に基づいて生成される。【００３０】  次に，ＣＲＣ符号器３ではデータ信号に対する誤り検出符号化を行い，それに続くターボ符号器５では誤り訂正符号化を行い，第１のデータ変調部６ではデータ信号によりデータ変調を行う。制御信号に対しては，畳込み符号器４で誤り訂正符号化を行い，第２のデータ変調部７で制御信号によりデータ変調を行う。【００３１】  パイロット信号生成部８では，データ信号の復調に必要なパイロット信号を生成する。【００３２】  ＲＡＣＨ（Ｒａｎｄｏｍ  Ａｃｃｅｓｓ  Ｃｈａｎｎｅｌ）生成部では，ＲＡＣＨ信号を生成する。【００３３】  セレクタ１０は，データ信号，制御信号，パイロット信号，ＲＡＣＨ信号のいずれかについて，それ以降の処理を行うように，切り替え処理を行う。【００３４】  例えば，基地局ＢＳとの初期接続時には，ＲＡＣＨ信号を送信するように切り替える。【００３５】  基地局ＢＳに対して，データ信号の送信許可を要求する場合には，制御信号とパイロット信号を送信するように切り替える。また，データ信号の送信許可を表すＲＢ割当情報が基地局ＢＳから送られた場合には，データ信号あるいはパイロット信号を送信するように切り替える。【００３６】  離散フーリエ変換（ＤＦＴ：Ｄｉｓｃｒｅｔｅ  Ｆｏｕｒｉｅｒ  Ｔｒａｎｓｆｏｒｍ）部１１では，セレクタ１０により切替え出力される出力信号に対して，時間領域から周波数領域への変換を行う。ＳＣ（サブキャリア）マッピング部１２では，セレクタ１０の出力信号が，所定のＲＢで送信されるように，高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）部１３の入力信号へのマッピングを行う。【００３７】  ここで，ＲＢ（Ｒｅｓｏｕｒｃｅ  Ｂｌｏｃｋ）とは，システム周波数帯域のうち，各移動局ＵＥが使用する周波数帯域の最小単位のことであり，連続した周波数（サブキャリア）を束ねて１個のＲＢを構成している。ＩＦＦＴ部１３では，周波数領域の信号を時間領域の信号に変換する。【００３８】  ＣＰ挿入部１４では，ＩＦＦＴ部１３から出力されるサンプル単位でＣＰ（Ｃｙｃｌｉｃ  ｐｒｅｆｉｘ）を挿入する。送信タイミング制御部１５では，基地局ＢＳから通知された送信タイミング制御値１０２に基づいて，送信タイミングの微調整を行う。この送信タイミング制御値１０２は，各移動局ＵＥの信号が同じタイミングで基地局ＢＳに受信されるように計算されている。【００３９】  次に，Ｄ／Ａ変換部１６で送信タイミングが調整された信号をＤ／Ａ変換し，送信ＲＦ（無線周波数）部１７において，直交変調を行い，ベースバンド信号を無線周波数の信号に変換し，送信アンテナ１８Ｓから送信する。【００４０】  図５は，本発明を適用する基地局ＢＳ側の受信処理構成のブロック図を示す。【００４１】  まず，受信ＲＦ部３０では，アンテナ２９Ｒで受信される移動局ＵＥから送信された信号に対して，無線周波数の信号をベースバンドの信号に変換し，直交復調を行う。その後，Ａ／Ｄ変換部３１でＡ／Ｄ変換を行う。【００４２】  ＲＡＣＨ検出部３２で，ＲＡＣＨ信号の検出を行う。ＣＰ削除部３３では，あらかじめ決められたタイミング（目標受信タイミング）で，受信信号からＣＰを削除し，各移動局ＵＥからの有効信号成分を切り出す。このとき，各移動局ＵＥからの各パスの受信タイミングが，目標受信タイミングからＣＰ長の区間に収まっていれば，移動局間で干渉は生じない。【００４３】  パスサーチ部３５では，時間領域で受信信号と各移動局ＵＥの送信パイロット信号のレプリカとの相関演算を行う。これにより，移動局毎に各パスの受信タイミング（有効信号成分の始点）を検出する。【００４４】  そして，各移動局ＵＥの先頭パスの受信タイミングと前述の目標受信タイミングの差分を求め，送信タイミング制御値とする。ＦＦＴ（Ｆａｓｔ  Ｆｏｕｒｉｅｒ  Ｔｒａｎｓｆｏｒｍ）部３４では，時間領域の信号を周波数領域に変換する。データ・制御・パイロット信号分離部３６では，ＴＤＭ（時分割）あるいはＦＤＭ（周波数分割）で多重された各移動局のデータ信号，制御信号とパイロット信号を受信信号から分離する。以降は，復調処理部４０において各移動局ＵＥに対する復調処理を行う。【００４５】  チャネル推定部４１では，パイロット信号が配置されたサブキャリアについて，周波数領域で受信パイロット信号と送信パイロット信号のレプリカとの相関演算を行う。これにより，無線チャネルにおける周波数領域のチャネル歪みを推定する。つまり，チャネル推定値を求める。このチャネル推定値を用いて，時間方向，周波数方向で補間処理（線形補間等）を行うことにより，ＴＴＩ内の全サブキャリア，全ＦＦＴブロックのチャネル推定値を算出する。【００４６】  ＳＩＲ推定部４２では，補間処理前のチャネル推定値を用いて，データ信号用の各ＲＢに対する受信ＳＩＲ（信号対干渉信号比）を推定する。推定方法の例としては，データ信号用のＲＢ毎に，対象とする移動局ＵＥのパイロット信号が配置されたサブキャリアのチャネル推定値を用いて，複素数で表されるチャネル推定値の実数部と虚数部のそれぞれの２乗の和を希望信号成分Ｓとみなし，複数のシンボルにおける分散値を干渉信号電力Ｉとみなし，ＳとＩの比を受信ＳＩＲの推定値とする。【００４７】  データ信号については，チャネル補償部４３１において，特定のサブキャリア，ＦＦＴブロックについて，受信データ信号と，それに対応するチャネル補償ウェイトを乗算する。チャネル補償ウェイトとしては，例えば次式で表されるＭＭＳＥウェイトＷが用いられる。【００４８】  ここで，Ｈはチャネル推定値，＊は複素共役を表す。Ｎは雑音電力推定値で，受信ＳＩＲ推定値を求める過程で得られた，データ信号用の各ＲＢの干渉電力ＩをＲＢ間で平均することにより求められる。【００４９】
【数１】
2008111131.tif 000003
【００５０】  ＳＣデマッピング部４３２では，受信信号から，対象とする移動局ＵＥのデータ信号が配置されたＲＢの信号を抽出する。ＩＤＦＴ部４３３では周波数領域のデータ信号を時間領域の信号に変換し，データ復調部４３４ではデータ変調を行う。【００５１】  再送バッファ部４３５は，プロセス数に応じたバッファを有しており，後述するＣＲＣ復号器４３８で誤りが検出されたプロセスのデータが格納されている。パケット合成部４３６は，今回受信したデータ信号と同じプロセスの信号を再送バッファから取り出し，それを今回受信したデータ信号とビット単位で加算（パケット合成）する。パケット合成後のデータ信号は，再送バッファ部４３５の該当プロセスのバッファに格納される。【００５２】  また，ターボ復号器４３７で誤り訂正復号が行われる。ＣＲＣ復号器４３８では，誤り検出が行われ，誤りが検出されなかった場合は，復元されたデータ信号を出力する。【００５３】  また，誤り検出の結果をＡＣＫ／ＮＡＣＫ信号１００として出力する。ＡＣＫ／ＮＡＣＫ信号１００の内訳は，誤りが検出されなかった場合はＡＣＫを表す１が格納され，誤りが検出された場合はＮＡＣＫを表す０が格納される。【００５４】  ＡＣＫ／ＮＡＣＫ信号１００は再送バッファ部４３５に入力され，ＡＣＫの場合には，対応するプロセスのバッファをリセット（中身を０で置き換える）する。【００５５】  制御信号については，データ信号と同様に，チャネル補償部４４１でチャネル補償を行い，ＳＣデマッピング部４４２で，制御信号が配置されたＲＢの信号を受信信号から抽出する。さらに，ＩＤＦＴ部４４３で周波数領域の制御信号を時間領域の信号に変換し，データ復調部４４４でデータ復調を行う。【００５６】  その後，ビタビ（Ｖｉｔｅｒｂｉ）復号器４４５で誤り訂正復号を行い，移動局ＵＥからのスケジューリング要求情報を得る。【００５７】  ＲＢ割当部３７では，データ信号用の各ＲＢの受信ＳＩＲ推定値，スケジューリング要求情報，ＡＣＫ／ＮＡＣＫ情報を用いて，各移動局からの次回のデータ信号の送信に用いるＲＢを割り当てる。【００５８】  割り当て方法の例としては，受信ＳＩＲ推定値が規定のしきい値を超えたＲＢを割り当てる方法などがある。ＲＢ割当部３７の具体的な構成は後述する。【００５９】  制御信号変調部３８では，各移動局ＵＥからの次回のデータ信号の送信に用いるＲＢの割り当て情報と，各移動局ＵＥのＡＣＫ／ＮＡＣＫ信号１００と，各移動局ＵＥの送信タイミング制御値を制御信号にマッピングし，送信アンテナ２９Ｓから各移動局ＵＥに送出して，フィードバックする。【００６０】  図６は，第１の実施例としての無線リソース割り当てと再送制御を説明する図である。図２と異なる点は，ＲＡＣＨが多重されたＴＴＩは，再送が必要なチャネルは多重されずに，再送が不要なチャネルを多重する点にある。【００６１】  再送が不要なチャネルとしては，例えばＶｏＩＰ（Ｖｏｉｃｅ  ｏｖｅｒ  Ｉｎｔｅｒｎｅｔ  Ｐｒｏｔｏｃｏｌ）用のチャネルなどが挙げられる。【００６２】  また，再送が必要なチャネルについては，ＲＡＣＨが多重されないＴＴＩのみを用いて再送制御を行う。例えば，ＴＴＩ＃ｎで送信された移動局ＵＥ１，Ｕ���２のデータ信号が共にチェックビット判定で不良（ＣＲＣ−ＮＧ）になった場合，前回の送信から数えてＲＴＴ（Ｒｏｕｎｄ  Ｔｒｉｐ  Ｔｉｍｅ）番目のＴＴＩ＃（ｎ＋ＲＴＴ）で再送が行われる。【００６３】  ただし，ＴＴＩを数え上げる際，ＲＡＣＨが多重されるＴＴＩは除外する。従って，ＴＴＩ＃（ｎ＋１）で送信された移動局ＵＥ１，ＵＥ２のデータ信号が共にＣＲＣ−ＮＧになった場合には，ＲＡＣＨが多重されるＴＴＩ＃（ｎ＋ＲＴＴ＋１）は除外して数え上げるので，ＴＴＩ＃（ｎ＋ＲＴＴ＋２）で再送が行われる。【００６４】  このようにすれば，再送が必要なチャネルが用いるＴＴＩにおいて，再送が必要なチャネルに割り当て可能な無線リソースサイズは常に一定なので，再送時に無線リソースが確保できないという問題が解消される。【００６５】  上記の無線リソース割り当てと再送制御を実現する，基地局ＢＳにおけるＲＢ割当部３６の具体的な構成図を図７に示す。【００６６】  図６に示すＲＡＣＨが多重されるＴＴＩにおいて，ＲＡＣＨを除いた無線リソースを限定リソースチャネルと定義すると，限定リソースチャネル用スケジューラ３６０は，限定リソースチャネルにおけるＲＢの割り当てを行う。一方，一般チャネル用スケジューラ３６１は，ＲＡＣＨが多重されないＴＴＩにおけるＲＢの割り当てを行う。これらのスケジューラ３６０，３６１では，受信ＳＩＲ，スケジューリング要求情報，ＡＣＫ／ＮＡＣＫ情報が入力され，ＲＢ割当情報として，次回の送信に使用するＲＢ，送信されるデータ品種の情報が出力される。【００６７】  スケジューラ入出力制御部３６２は，ＲＢ割当部３６への入出力を，限定リソースチャネル用スケジューラ３６０，一般チャネル用スケジューラ３６１のいずれかに切り替える。【００６８】  具体的には，ＡＣＫ／ＮＡＣＫ情報がＡＣＫの場合，移動局ＵＥからの新規データに対するＲＢ割り当てを行う。例えば，スケジューリング要求情報において，全データ品種のデータ滞留量のうち，再送が不要なチャネルのデータ滞留量の占める比率が一定以上になった場合，限定リソーススケジューラ３６０への切り替えを行い，再送が不要なチャネルに対するＲＢ割り当てを行う。【００６９】  それ以外の場合は，一般チャネル用スケジューラ３６１に切り替える。また，ＡＣＫ／ＮＡＣＫ情報がＮＡＣＫの場合には，再送が必要なチャネルについては，一般チャネル用スケジューラ３６１への切り替えを行い，再送が不要なチャネルについては，いずれのスケジューラへの切り替えも行わない。【００７０】  図８は，第２の実施例における無線リソース割り当てと再送制御を説明する図である。【００７１】  図２と異なる点は，ＲＡＣＨが多重されないＴＴＩにおいて，ＲＡＣＨと同一の無線リソースを有するチャネル（限定リソースチャネルと定義する）が割り当てられる点にある。図８では，限定リソースチャネルにＲＡＣＨと同じ周波数帯域が割り当てられているが，割り当てられるＲＢ（リソースブロック）数がＲＡＣＨと同じであれば，必ずしも同じ周波数帯域でなくてもよい。【００７２】  また，限定リソースチャネルの再送制御は，ＲＡＣＨが多重されないＴＴＩ（例えば，ＴＴＩ＃（ｎ＋１）〜ＴＴＩ＃（ｎ＋ＲＴＴ））に���ける限定リソースチャネルのみを用いて行われる。
従って，前回送信されたＴＴＩを起点に，ＲＡＣＨが多重されるＴＴＩを除いて数え上げて，ＲＴＴ番目のＴＴＩで再送が行われる。【００７３】  このとき，再送される対象のチャネルは，限定リソースチャネルのＲＢ数と同一又はそれより少ない無線リソースのチャネルであれば，必ず限定リソースチャネルを用いて再送することができる。【００７４】  一方，ＲＡＣＨや限定リソースチャネルを除く，再送が必要なチャネルの再送制御は，ＲＡＣＨが多重されるか否かは関係なく，すべてのＴＴＩを用いて行われる。従って，前回送信されたＴＴＩを起点に，ＲＡＣＨが多重されるＴＴＩも含んで数え上げて，ＲＴＴ番目のＴＴＩで再送が行われる。【００７５】  このようにすれば，限定リソースチャネルが用いるＴＴＩにおいて，限定リソースチャネルに割り当て可能な無線リソースサイズは常に一定である。また，その他の再送が必要なチャネルが用いるＴＴＩにおいて，その他の再送が必要なチャネルに割り当て可能な無線リソースサイズは常に一定である。従って，再送時に無線リソースが確保できないという問題が解消される。【００７６】  上記の無線リソース割り当てと再送制御を実現する，基地局ＢＳにおけるＲＢ割当部３６は，第１の実施例と同様の構成（図７参照）であるが，スケジューラ入出力制御部３６２の動作が異なる。具体的には，ＡＣＫ／ＮＡＣＫ情報がＡＣＫの場合，移動局ＵＥからの新規データに対するＲＢ割り当てを行う。【００７７】  例えば，スケジューリング要求情報において，全データ品種のデータ滞留量のうち，非リアルタイムデータの占める比率が一定以上になった場合や全データ品種のデータ滞留量そのものが少量である場合は，限定リソーススケジューラ３６０への切り替えを行い，これらのデータに対するＲＢ割り当てを行う。それ以外の場合は，一般チャネル用スケジューラ３６１に切り替える。【００７８】  また，ＡＣＫ／ＮＡＣＫ情報がＮＡＣＫの場合には，前回ＲＢ割り当てを行ったスケジューラに切り替える。【００７９】  上記本発明の構成により，ＲＡＣＨの送信と，データ信号に対するＳｙｎｃｈｒｏｎｏｕｓＨＡＲＱ処理の両立が可能である。【００８０】  なお，上記実施例の説明は，本発明の理解のためのものであり，本発明は保護の範囲は，これらの実施例に限定されるものではない。特許請求の範囲の記載とその均等物に及びものである。【００８１】  （付記１）
複数の移動局と，前記複数の移動局と無線により通信を行う基地局を備え，
前記複数の移動局からのデータ信号が，周波数方向に複数のチャネルで多重化されてタイムスロットを形成し，前記周波数方向に多重化されたタイムスロットが時分割多重されて前記基地局に送信され，更に前記基地局は，前記移動局側から送られたタイムスロット毎に周波数分割多重化されたデータ信号を分離して受信し，前記データ信号の受信が不良であるとき，対応する移動局に再送を要求する移動通信システムであって，
所定の時間間隔毎の前記タイムスロットに無線リンク接続のために送信されるランダムアクセスチャネルが多重化され，
前記ランダムアクセスチャネルが多重化されるタイムスロットには，再送が不要であるデータ信号のみを周波数多重化し，
前記複数の移動局は，前記基地局から再送要求のある時，前記ランダムアクセスチャネルが多重化されるタイムスロット以外のタイムスロットに前記再送要求されたデータ信号を周波数多重して，前記基地局に再送する，
ことを特徴とする移動通信システム。【００８２】  （付記２）
付記１において，
前記再送が不要であるデータ信号は，インターネットプロトコル上の音声信号であることを特徴とする移動通信システム。【００８３】  （付記３）
複数の移動局と，前記複数の移動局と無線により通信を行う基地局を備え，
前記複数の移動局からのデータ信号が，周波数方向に複数のチャネルで多重化されてタイムスロットを形成し，前記周波数方向に多重化されたタイムスロットが時分割多重されて前記基地局に送信され，更に前記基地局は，前記移動局側から送られたタイムスロット毎に周波数分割多重化されたデータ信号を分離して受信し，前記データ信号の受信が不良であるとき，対応する移動局に再送を要求する移動通信システムであって，
所定の時間間毎の前記タイムスロットに無線リンク接続のために送信されるランダムアクセスチャネルが多重化され，
前記ランダムアクセスチャネルが多重化されるタイムスロット以外のタイムスロットに前記ランダムアクセスチャネルと同一の無線リソースを有するチャネルを設け，
前記複数の移動局は，前記ランダムアクセスチャネルと同一の無線リソースを有するチャネルで送信したデータ信号を，前記基地局から再送要求のある時，前記ランダムアクセスチャネルと同一の無線リソースを有するチャネルに前記再送要求されたデータ信号を周波数多重して，前記基地局に再送する，
ことを特徴とする移動通信システム。【００８４】  （付記４）
複数の移動局と無線により通信を行う基地局を備えた移動通信システムにおける前記基地局であって，
周波数方向に複数のチャネルで多重化されてタイムスロットを形成し，前記周波数方向に多重化されたタイムスロットが時分割多重されて，前記複数の移動局から送信されるデータ信号を受信し，
前記データ信号の受信が不良であるとき，対応する移動局に再送を要求し，
所定の時間間隔毎の前記タイムスロットに無線リンク接続のために送信されるランダムアクセスチャネルが多重化され，前記ランダムアクセスチャネルが多重化されるタイムスロットには，再送が不要であるデータ信号のみが周波数多重化され，前記再送要求を行ったとき，前記ランダムアクセスチャネルが多重化されるタイムスロット以外のタイムスロットに周波数多重され，再送される前記再送要求されたデータ信号を，該当の移動局から受信する，
ことを特徴とする移動通信システムにおける基地局。【００８５】  （付記５）
付記４において，
前記再送が不要であるデータ信号は，インターネットプロトコル上の音声信号であることを特徴とする移動通信システムにおける基地局。【００８６】  （付記６）
複数の移動局と無線により通信を行う基地局を備えた移動通信システムにおける前記基地局であって，
周波数方向に複数のチャネルで多重化されてタイムスロットを形成し，前記周波数方向に多重化されたタイムスロットが時分割多重されて，前記複数の移動局から送信されるデータ信号を受信し，
前記データ信号の受信が不良であるとき，対応する移動局に再送を要求し，
所定の時間間隔毎の前記タイムスロットに無線リンク接続のために送信されるランダムアクセスチャネルが多重化され，前記ランダムアクセスチャネルが多重化されるタイムスロット以外のタイムスロットに前記ランダムアクセスチャネルと同一の無線リソースを有するチャネルが設けられ，
前記ランダムアクセスチャネルと同一の無線リソースを有するチャネルで送信されたデータ信号を，前記再送要求を行ったとき，前記ランダムアクセスチャネルと同一の無線リソースを有するチャネルに周波数多重された前記再送要求されたデータ信号を，該当の移動局から受信する，
ことを特徴とする移動通信システムにおける基地局。【００８７】  （付記７）
複数の移動局と無線により通信を行う基地局を備えた移動通信システムにおける前記移動局であって，
周波数方向に複数のチャネルで多重化されてタイムスロットを形成し，前記周波数方向に多重化されたタイムスロットが時分割多重されたデータ信号を，前記基地局に送信し，
前記基地局におけるデータ信号の受信が不良であるとき，対応するデータ信号の再送が要求され，
所定の時間間隔毎の前記タイムスロットに無線リンク接続のために送信されるランダムアクセスチャネルが多重化され，前記ランダムアクセスチャネルが多重化されるタイムスロットには，再送が不要であるデータ信号のみが周波数多重化され，前記基地局から再送要求が行われたとき，前記ランダムアクセスチャネルが多重化されるタイムスロット以外のタイムスロットに周波数多重し，前記再送要求されたデータ信号を前記基地局に再送する，
ことを特徴とする移動通信システムにおける移動局。【００８８】  （付記８）
付記７において，
前記再送が不要であるデータ信号は，インターネットプロトコル上の音声信号であることを特徴とする移動通信システムにおける移動局。【００８９】  （付記９）
基地局と無線により通信を行う移動通信システムにおける移動局であって，
周波数方向に複数のチャネルを多重化してタイムスロットを形成し，前記周波数方向に多重化されたタイムスロットを時分割多重し，前記基地局にデータ信号を送信し，
前記基地局における前記データ信号の受信が不良であるとき，データ信号の再送が要求され，
所定の時間間隔毎の前記タイムスロットに無線リンク接続のために送信されるランダムアクセスチャネルを多重化し，前記ランダムアクセスチャネルが多重化されるタイムスロット以外のタイムスロットに前記ランダムアクセスチャネルと同一の無線リソースを有するチャネルが設け，
前記ランダムアクセスチャネルと同一の無線リソースを有するチャネルで送信したデータ信号を，前記再送要求があったとき，前記ランダムアクセスチャネルと同一の無線リソースを有するチャネルに周波数多重した前記再送要求されたデータ信号を前記基地局に送信する，
ことを特徴とする移動通信システムにおける移動局。【００９０】  （付記１０）
複数の移動局と，前記複数の移動局と無線により通信を行う基地局を備え，
前記複数の移動局からのデータ信号が，周波数方向に複数のチャネルで多重化されてタイムスロットを形成し，前記周波数方向に多重化されたタイムスロットが時分割多重されて前記基地局に送信され，更に前記基地局は，前記移動局側から送られたタイムスロット毎に周波数分割多重化されたデータ信号を分離して受信し，前記データ信号の受信が不良であるとき，対応する移動局に再送を要求する移動通信システムにおけるデータ信号再送方法であって，
前記複数の移動局において，
所定の時間間隔毎の前記タイムスロットに無線リンク接続のために送信されるランダムアクセスチャネルを多重化するステップと，
前記ランダムアクセスチャネルが多重化されるタイムスロットには，再送が不要であるデータ信号のみを周波数多重化するステップと，
前記基地局から再送要求のある時，前記ランダムアクセスチャネルが多重化されるタイムスロット以外のタイムスロットに前記再送要求されたデータ信号を周波数多重して，前記基地局に再送するステップを有する，
ことを特徴とする移動通信システムにおけるデータ信号再送方法。
【図１】
2008111131.tif 000004
【図２】
2008111131.tif 000005
【図３】
2008111131.tif 000006
【図４】
2008111131.tif 000007
【図５】
2008111131.tif 000008
【図６】
2008111131.tif 000009
【図７】
2008111131.tif 000010
【図８】
2008111131.tif 000011
【国際調査報告】
2008111131.tif 000012
2008111131.tif 000013
2008111131.tif 000014